(57)【特許請求の範囲】
【請求項１】
方法であって、
第１の通信モジュールと第２の通信モジュールを含む電子装置において、前記第２の通信モジュールが第１の状態である間に前記第１の通信モジュールを用いて外部装置から前記外部装置の装置識別情報を含む信号を受信するステップと、
前記信号の少なくとも一部に基づいて前記第２の通信モジュールを第２の状態に転換するステップと、
前記第２の状態に転換された前記第２の通信モジュールを用いて、装置検索動作を実行し、前記外部装置の前記装置識別情報に基づいて前記装置検索動作により検索された装置のうちで前記外部装置が存在すると確認すると、前記電子装置と前記外部装置との間に通信を確立するステップとを含むことを特徴とする方法。
【請求項２】
前記受信は、前記外部装置が前記電子装置の近くにあることに応答して実行されることを特徴とする請求項１に記載の方法。
【請求項３】
前記第１の通信モジュールは、近距離通信モジュールまたはブルートゥースモジュールを含むことを特徴とする請求項１に記載の方法。
【請求項４】
前記第２の通信モジュールは、Ｗｉ−Ｆｉモジュールを含むことを特徴とする請求項１に記載の方法。
【請求項５】
前記第１の状態は非活性化状態を含み、前記第２の状態は活性化状態を含むことを特徴とする請求項１に記載の方法。
【請求項６】
前記確立するステップは、
前記第２の通信モジュールをピアツーピア通信を実行するためのモードに設定するステップを含むことを特徴とする請求項１に記載の方法。
【請求項７】
前記装置識別情報は、メディアアクセス制御アドレスまたは装置名を含むことを特徴とする請求項１に記載の方法。
【請求項８】
前記確立するステップは、
認証情報を前記外部装置に伝送するステップを含むことを特徴とする請求項１に記載の方法。
【請求項９】
装置であって、
第１の無線通信を提供する第１の通信モジュールと、
第２の無線通信を提供する第２の通信モジュールと、
前記第１の通信モジュールと前記第２の通信モジュールとに接続される制御部と、を含み、
前記制御部は、
前記第２の通信モジュールが第１の状態である間に前記第１の通信モジュールを用いて外部装置から前記外部装置の装置識別情報を含む信号を受信し、
前記信号の少なくとも一部に基づいて前記第２の通信モジュールを第２の状態に転換し、
前記第２の状態に転換された前記第２の通信モジュールを用いて、装置検索動作を実行し、前記外部装置の前記装置識別情報に基づいて前記装置検索動作により検索された装置のうちで前記外部装置が存在すると確認すると、前記装置と前記外部装置との間に通信を確立することを特徴とする装置。
【請求項１０】
前記第１の通信モジュールは、近距離通信モジュールまたはブルートゥースモジュールを含むことを特徴とする請求項９に記載の装置。
【請求項１１】
前記第２の通信モジュールはＷｉ−Ｆｉモジュールを含むことを特徴とする請求項９に記載の装置。
【請求項１２】
前記第１の状態は非活性化状態を含み、前記第２の状態は活性化状態を含むことを特徴とする請求項９に記載の装置。
【請求項１３】
前記制御部は、
前記第２の通信モジュールをピアツーピア通信を実行するためのモードに設定することを特徴とする請求項９に記載の装置。
【請求項１４】
方法であって、
第１の通信モジュールと第２の通信モジュールを含む電子装置において、前記第２の通信モジュールが第１の状態である間に前記第１の通信モジュールを用いて外部装置に信号を伝送するステップと、
前記信号の少なくとも一部に基づいて前記第２の通信モジュールを第２の状態に転換するステップと、
前記第１の通信モジュールを用いて、前記電子装置と前記外部装置との間に装置識別情報を含む装置情報を交換するステップと、
前記第２の状態に転換された前記第２の通信モジュールを用いて、装置検索動作を実行し、前記交換された装置情報のうち少なくとも一部に基づいて、前記装置検索動作により検索された装置のうちで前記外部装置が存在するか否かを確認するステップと、
前記外部装置が存在すると確認すると、前記交換された装置情報に基づいて前記電子装置と前記外部装置との間に通信を確立するステップとを含むことを特徴とする方法。
【請求項１５】
前記第１の状態は非活性化状態を含み、前記第２の状態は活性化状態を含むことを特徴とする請求項１４に記載の方法。
【請求項１６】
前記確立するステップは、
前記第２の通信モジュールをピアツーピア通信を実行するためのモードに設定するステップを含むことを特徴とする請求項１４に記載の方法。
【請求項１７】
前記装置検索動作を実行することは、
少なくとも一つの外部装置から受信された他の装置識別情報が前記装置識別情報に対応するという確認の少なくとも一部に基づいて、前記少なくとも一つの外部装置のうち少なくとも一つの外部装置を前記外部装置として選択するステップを含むことを特徴とする請求項１４に記載の方法。
【請求項１８】
装置であって、
第１の無線通信を提供する第１の通信モジュールと、
第２の無線通信を提供する第２の通信モジュールと、
前記第１の通信モジュールと前記第２の通信モジュールとに接続される制御部と、を含み、
前記制御部は、
前記第２の通信モジュールが第１の状態である間に前記第１の通信モジュールを用いて外部装置に信号を伝送し、
前記信号の少なくとも一部に基づいて前記第２の通信モジュールを第２の状態に転換し、
前記第１の通信モジュールを用いて、電子装置と前記外部装置との間に装置識別情報を含む装置情報を交換し、
前記第２の状態に転換された前記第２の通信モジュールを用いて、装置検索動作を実行し、前記交換された装置情報のうち少なくとも一部に基づいて、前記装置検索動作により検索された装置のうちで前記外部装置が存在するか否かを確認し、
前記外部装置が存在すると確認すると、前記交換された装置情報に基づいて前記電子装置と前記外部装置との間に通信を確立することを特徴とする装置。
【請求項１９】
前記第１の通信モジュールは、近距離通信モジュールまたはブルートゥースモジュールを含み、前記第２の通信モジュールはＷｉ−Ｆｉモジュールを含むことを特徴とする請求項１８に記載の装置。
【請求項２０】
前記制御部は、
前記第２の通信モジュールをピアツーピア通信を実行するためのモードに設定することを特徴とする請求項１８に記載の装置。
【請求項２１】
前記制御部は、
少なくとも一つの外部装置から受信された他の装置識別情報が前記装置識別情報に対応するという確認の少なくとも一部に基づいて、前記少なくとも一つの外部装置のうち少なくとも一つの外部装置を前記外部装置として選択することを特徴とする請求項１８に記載の装置。
【請求項２２】
命令を保存している保存媒体であって、前記命令は、少なくとも一つのプロセッサによって実行される時に、前記少なくとも一つのプロセッサが少なくとも一つの動作を実行するように設定されることであり、前記少なくとも一つの動作は、
第１の通信モジュールと第２の通信モジュールを含む電子装置において、前記第２の通信モジュールが第１の状態である間に前記第１の通信モジュールを用いて外部装置から前記外部装置の装置識別情報を含む信号を受信するステップと、
前記信号の少なくとも一部に基づいて前記第２の通信モジュールを第２の状態に転換するステップと、
前記第２の状態に転換された前記第２の通信モジュールを用いて、装置検索動作を実行し、前記外部装置の前記装置識別情報に基づいて、前記装置検索動作により検索された装置のうちで前記外部装置が存在すると確認すると、前記電子装置と前記外部装置との間に通信を確立するステップと、を含むことを特徴とする保存媒体。
【請求項２３】
前記確立するステップは、
前記第２の通信モジュールをピアツーピア通信を実行するためのモードに設定するステップを含むことを特徴とする請求項２２に記載の保存媒体。
【請求項２４】
命令を保存している保存媒体であって、前記命令は、少なくとも一つのプロセッサによって実行される時に、前記少なくとも一つのプロセッサが少なくとも一つの動作を実行するように設定されることであり、前記少なくとも一つの動作は、
第１の通信モジュールと第２の通信モジュールを含む電子装置において、前記第２の通信モジュールが第１の状態である間に前記第１の通信モジュールを用いて外部装置に信号を伝送するステップと、
前記信号の少なくとも一部に基づいて前記第２の通信モジュールを第２の状態に転換するステップと、
前記第１の通信モジュールを用いて、前記電子装置と前記外部装置との間に装置識別情報を含む装置情報を交換するステップと、
前記第２の状態に転換された前記第２の通信モジュールを用いて、装置検索動作を実行し、前記交換された装置情報のうち少なくとも一部に基づいて前記装置検索動作により検索された装置のうちで前記外部装置が存在するか否かを確認するステップと、
前記外部装置が存在すると確認すると、前記交換された装置情報に基づいて前記電子装置と前記外部装置との間に通信を確立するステップを含むことを特徴とする保存媒体。
【請求項２５】
前記装置検索動作を実行することは、
少なくとも一つの外部装置から受信された他の装置識別情報が前記装置識別情報に対応するという確認の少なくとも一部に基づいて、前記少なくとも一つの外部装置のうち少なくとも一つの外部装置を前記外部装置として選択するステップを含むことを特徴とする請求項２４に記載の保存媒体。
【発明の詳細な説明】
【技術分野】
【０００１】
本発明は、携帯端末機におけるデバイス接続装置及び方法に関し、特に、携帯端末機の通信モードで所望するデバイスにより便利に接続することができる携帯端末機におけるデバイス接続装置及び方法に関する。
【背景技術】
【０００２】
Ｗｉ−Ｆｉピアツーピア（Wi-Fi Peer to Peer：Ｗｉ−Ｆｉ  Ｐ２Ｐ）又はＷｉ−Ｆｉダイレクト技術（Wi-Fi Direct technology）は、既存のインフラストラクチャーネットワーク（Infrastructure network）の媒体であるアクセスポイント（Access Point：ＡＰ）なしに既存のＷｉ−Ｆｉインターフェースを活用してＷｉ−Ｆｉ端末間の直接接続を提供する技術である。
既存のＷｉ−Ｆｉ技術は、一般的に、アクセスポイント（ＡＰ）を介したインターネットへの接続に関する。したがって、Ｗｉ−Ｆｉ端末間の直接通信に関する技術の開発が不足である。
このような不足は、ブルートゥース技術を使用することによりいくらか補われている。しかしながら、ブルートゥース技術は、送信距離及び送信速度と関連した特定の限界がある。結果的に、Ｗｉ−Ｆｉ  Ｐ２Ｐ技術は、ブルートゥースが補わない端末間のコミュニケーションの部分をカバーするものと期待を受けている。
【０００３】
既存のＷｉ−Ｆｉ技術がＡｄ−ｈｏｃモードで直接接続をサポートするが、Ａｄ−ｈｏｃ技術は、効率的に商業化されなかった。言い換えれば、Ａｄ−ｈｏｃ技術は、Ａｄ−ｈｏｃ技術と関連した様々な短所のために実際にはめったに使用されなかった。例えば、Ａｄ−ｈｏｃ技術と関連した短所は、セキュリティの脆弱さ、高い電力消費、制限される送信速度（例えば、１１Ｍｂｐｓに制限されるスループットトラフィック）を含む。
Ｗｉ−Ｆｉダイレクト技術は、ＷＰＡ２（Wi-Fi Protected Access 2）の補完モードをサポートすることによりセキュリティの脆弱性を補完し、ＷＳＣ（Wi-Fi Simple Configuration）を用いてより簡単なＷｉ−Ｆｉ端末間の接続性をサポートする。また、Ｗｉ−Ｆｉダイレクト技術は、無線ネットワーク標準ＩＥＥＥ８０２．１１ｎをサポートすることによりＡｄ−ｈｏｃに比べてスループットを大幅改善し、向上した電力消費アルゴリズムが追加された。
レガシーＷｉ−Ｆｉ標準に基づくＷｉ−Ｆｉダイレクト機能は、既存のＷｉ−Ｆｉ端末と互換性があり、ハードウェアの変更なしに容易にアップグレードすることができる。
【０００４】
ピアツーピア（Ｐ２Ｐ）グループは、Ｗｉ−Ｆｉ  Ｐ２Ｐ技術を用いてＷｉ−Ｆｉ端末間に接続されるＷｉ−Ｆｉ端末のセットを示す。デバイスが１：１接続であると仮定すると、一方のデバイスは、グループオーナー（Group Owner：以下、“ＧＯ”と称する）として動作し、他方のデバイスはグループクライアント（Group Client：以下、“ＧＣ”と称する）として動作する。この場合に、ＧＯ端末は、無線ローカルエリアネットワーク（ＷＬＡＮ）ＡＰとして機能し、ＧＣ端末は、ＷＬＡＮステーションとして機能する。
このような各Ｐ２Ｐ端末の機能は、Ｐ２Ｐだけのプロトコル（すなわち、Ｗｉ−Ｆｉ  Ｐ２Ｐ接続過程のＧＯ交渉 ）を用いて決定される。
Ｗｉ−Ｆｉ  Ｐ２Ｐ技術に基づくＰ２Ｐグループの生成は、１：１接続又は１：Ｎ接続によりなされることができ、収容可能なグループクライアント（Group Client：ＧＣ）の個数は、ＧＯ端末の能力に基づいて決定される。
【０００５】
Ｗｉ−Ｆｉ  Ｐ２Ｐ接続過程において、デバイスディスカバリー（Device Discovery）
過程を介してデバイスを検索し、この検索されたデバイスのうちで接続を希望するデバイスとプロビジョンディスカバリー（Provision Discovery）過程を実行する。
プロビジョンディスカバリー過程は、接続方法を接続を希望するデバイスに通知する過程であり、ウェブサービスコネクタ（Web Service Connector：ＷＳＣ）接続方法は、ボタン入力に応じて実行されるプッシュボタン方式（Push Button Configuration：ＰＢＣ）及びＰＩＮ（Personal Identification Number）番号入力に応じて実行されるＰＩＮ方法を含む。
【０００６】
したがって、プロビジョンディスカバリーを要請するデバイスは、所望する接続方法と関連したメッセージを送信する。このメッセージを受信したデバイスは、ポップアップウィンドーを介して相手方に通知する。
プロビジョンディスカバリーに対する他のデバイスの要請に対応するメッセージの受信に応じて表示されるポップアップウィンドーは、プロビジョンディスカバリーを要請したデバイスのデバイスネームのような情報を含む。ポップアップウィンドーは、このメッセージを受信したデバイスのユーザが接続を許容されるか否か、そしてＷＳＣを可能にするか否かを判定するようにする。
【０００７】
プロビジョンディスカバリー過程の後に、ＧＯ交渉過程は、デバイスの役割を決定するように実行される。ＧＯ（Group Owner）に決定されたデバイスは、ＡＰとして動作し、ＧＣ（Group Client）に決定されたデバイスは、Ｗｉ−Ｆｉステーションとして動作する。
デバイスの役割であるＧＯ及びＧＣが決定される場合に、２つのデバイスは、プロビジョニング過程を介して認証タイプ（Authentication type）、暗号化タイプ（encryptiontype）、ネットワークキー（network key）、及びサービスセット識別子（Service Set identifier：ＳＳＩＤ）のような認証情報を交換することによりＰ２Ｐ接続を完了する。
しかしながら、デバイスへの接続がＷｉ−Ｆｉ  Ｐ２Ｐ接続過程を介して実行される度に、デバイス検索過程を介して所望するデバイスを選択しなければならず、上述した複数の接続過程を実行しなければならない。また、所望するデバイスがデバイス検索過程で検索されない場合に、所望するデバイスが検索されるまでデバイス検索過程を反復して実行しなければならないという煩わしさがあった。
したがって、携帯端末機の近距離通信を介して所望するデバイスへの通信を接続するためのデバイス情報を交換する間にＷｉ−Ｆｉダイレクト接続を便利に実行することができる携帯端末機におけるデバイス接続装置及び方法に対する必要性が高まっている。
【先行技術文献】
【特許文献】
【０００８】
【特許文献１】特開２００６−３０３９２４号公報
【特許文献２】米国特許出願公開第２０１１／０２７５３１６号明細書
【特許文献３】特開２００９−１７１４０９号公報
【特許文献４】特開２００３−３２１７５号公報
【特許文献５】特開２００５−３２３０９２号公報
【特許文献６】特開２００８−９８８９３号公報
【発明の概要】
【発明が解決しようとする課題】
【０００９】
したがって、本発明は、上述した従来技術の問題点を解決するために提案されたものであり、その目的は、携帯端末機の通信モードで所望するデバイスにより便利に接続することができる携帯端末機におけるデバイス接続装置及び方法を提供することにある。
本発明の別の目的は、携帯端末機の近距離通信を介して所望するデバイスへの通信接続のためのデバイス情報を交換しつつＷｉ−Ｆｉダイレクト接続を便利に実行することができる携帯端末機におけるデバイス接続装置及び方法を提供することにある。
【課題を解決するための手段】
【００１０】
上記のような目的を達成するために、本発明の一態様によれば、携帯端末機におけるデバイス接続装置を提供する。上記装置は、特定のデバイスとの接触を介して通信接続のためのデバイス情報を交換する近距離通信モジュールと、上記交換されるデバイス情報に基づいて特定のデバイスへの通信を接続するように上記近距離通信モジュールを制御する制御部とを有することを特徴とする。
【００１１】
本発明の別の態様によれば、携帯端末機におけるデバイス接続方法を提供する。上記方法は、特定のデバイスが接触する場合に、近距離通信を介して通信接続のためのデバイス情報を交換するステップと、上記特定のデバイスから受信されたデバイス情報に基づいて上記特定のデバイスへの通信を接続するステップとを有することを特徴とする。
【発明の効果】
【００１２】
本発明は、近距離通信モジュールを含むデバイス間の接触を介して通信が接続される携帯端末機におけるデバイス接続装置及び方法を提供することにより、Ｗｉ−Ｆｉ  Ｐ２Ｐの使用を最大にし、所望するデバイスの接触だけで通信が接続される利便性を提供することができるという効果がある。また、近距離通信モジュールを含むデバイス間の相互接触のためには、ユーザの意図が必ず伴われなければならないという接近性を必要とするためにセキュリティが関連した問題でも大きい長所を発揮することができる効果がある。
本発明の他の目的、効果、及び際立った特徴は、添付図面が併用され本発明の実施の形態を開示する後述の詳細な説明から、当業者に明らかになるだろう。
【図面の簡単な説明】
【００１３】
【図１】本発明の実施形態による携帯端末機の構成を示すブロック図である。
【図２】本発明の一実施形態による携帯端末機により実行される所望するデバイスへのＷｉ−Ｆｉピアツーピア（Ｐ２Ｐ）接続の過程を示すフローチャートである。
【図３】本発明の別の実施形態による携帯端末機により実行される所望するデバイスへのＷｉ−Ｆｉ  Ｐ２Ｐ接続の過程を示すフローチャートである。
【発明を実施するための形態】
【００１４】
本発明の実施形態の上述した及び他の様相、特徴、及び利点は、以下の添付図面が併用された後述の詳細な説明から、より一層明らかになるだろう。
添付の図面を参照した下記の説明は、特許請求の範囲の記載及びこれと均等なものの範囲内で定められるような本発明の実施形態の包括的な理解を助けるために提供するものであり、この理解を助けるために様々な特定の詳細を含むが、単なる実施形態に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
本願明細書に記載の各要素は、文脈中に特に明示しない限り、複数形を含むことは、当業者には理解できるものである。したがって、例えば、“コンポーネント表面（a component surface）”との記載は、１つ又は複数の表面を含む。
【００１５】
図１は、本発明の実施形態による携帯端末機の構成を示すブロック図である。
図１を参照すると、無線周波数（ＲＦ）部１２３は、携帯端末機の無線通信機能を実行する。ＲＦ部１２３は、送信信号の周波数をアップコンバートし、このアップコンバートされた送信信号を増幅するＲＦ送信器と、受信信号を低雑音増幅し、増幅された受信信号の周波数をダウンコンバートするＲＦ受信器とを含む。データ処理部１２０は、送信信号の符号化及び変調を行う送信器と受信信号の復調及び復号化を行う受信器とを含む。すなわち、データ処理部１２０は、モデム（ＭＯＤＥＭ）及びコーデック（ＣＯＤＥＣ）を含むことができる。コーデックは、パケットデータなどを処理するデータコーデックと音声のようなオーディオ信号を処理するオーディオコーデックとを含む。オーディオ処理部１２５は、データ処理部１２０のオーディオコーデックから出力される受信オーディオ信号を再生し、マイクロフォンから発生する送信オーディオ信号をデータ処理部１２０のオーディオコーデックに転送する。
【００１６】
キー入力部１２７は、数字及び文字情報を入力するためのキー及び各種機能を設定するための機能キーを含む。例えば、キー入力部１２７は、入力ボタン、タッチスクリーンなどを含むことができる。
メモリ１３０は、プログラムメモリ及びデータメモリを含むことができる。プログラムメモリは、携帯端末機の一般的な動作を制御するためのプログラム及び本発明の実施形態による近距離通信を介して所望するデバイスへのＷｉ−Ｆｉ  Ｐ２Ｐ接続の確立を制御するためのプログラムを格納することができる。また、データメモリは、プログラムを実行する間に発生するデータを一時格納することができる。
制御部１１０は、携帯端末機の全般的な動作を制御する。例えば、制御部１１０は、携帯端末機の様々なユニット及びモジュールに接続されて動作することができる。
【００１７】
本発明の実施形態に従って、制御部１１０は、近距離通信モジュール１８０（例えば、近距離通信（ＮＦＣ）モジュール）を制御することにより接触する特定のデバイスとデバイス情報を交換し、交換されたデバイス情報に基づいて特定のデバイスへのＷｉ−Ｆｉ  Ｐ２Ｐ接続を実行する。
また、携帯端末機のＷｉ−Ｆｉ通信接続設定画面で特定のデバイスとの接触を介して特定のデバイスとの近距離通信が接続される場合に、制御部１１０は、Ｗｉ−Ｆｉ  Ｐ２Ｐ機能をイネーブルさせることにより携帯端末機が自動でＷｉ−Ｆｉ  Ｐ２Ｐモードに転換するように制御する。
この場合に、近距離通信モジュールを含む特定のデバイスのＷｉ−Ｆｉ  Ｐ２Ｐ機能がディスエーブルされる場合に、近距離通信が携帯端末機との接触を介して接続される場合に、特定のデバイスでもＷｉ−Ｆｉ  Ｐ２Ｐ機能をイネーブルすることによりＷｉ−Ｆｉ  Ｐ２Ｐモードに自動で切り換える。
【００１８】
また、制御部１１０は、Ｗｉ−Ｆｉ  Ｐ２Ｐモードにおいて特定のデバイスとメディアアクセス制御（Media Access Control：ＭＡＣ）アドレスを交換すると同時にデバイス検索動作を実行する。
また、デバイス検索動作の結果として、デバイス検索結果が表示される表示部１６０に特定のデバイスが表示される場合に、すなわち、検索されたデバイスのうちで特定のデバイスから受信されたＭＡＣアドレスを有するデバイスが存在する場合に、制御部１１０は、特定のデバイスとの役割決定過程及び特定のデバイスとの認証情報交換過程を実行するように近距離通信モジュール１８０を制御する。したがって、制御部１１０は、特定のデバイスへのＷｉ−Ｆｉ  Ｐ２Ｐ接続を実行するように携帯端末機を制御する。
この時に、検索されたデバイスのうちの特定のデバイスの存在は、Ｗｉ−Ｆｉ  Ｐ２Ｐ接続のためのデバイス情報が交換されたことを示す。したがって、Ｗｉ−Ｆｉ  Ｐ２Ｐ接続を希望するデバイスとして接触を介してすでに選択された特定のデバイスとの役割決定過程及び認証情報交換過程を実行した後にＷｉ−Ｆｉ  Ｐ２Ｐ接続を実行することができる。
【００１９】
また、デバイス検索動作の結果として、デバイス検索結果が表示される表示部１６０に特定のデバイスが表示されない場合に、すなわち、検索されたデバイスのうちで特定のデバイスから受信されたＭＡＣアドレスを有するデバイスが存在しない場合に、制御部１１０は、特定のデバイスとのＷｉ−Ｆｉ  Ｐ２Ｐ接続のためのデバイス情報を交換するように近距離通信モジュール１８０を制御する。特定のデバイスから受信されたデバイス情報に基づいて特定のデバイスとの役割決定過程及び認証情報交換過程を完了した後に、制御部１１０は、Ｗｉ−Ｆｉダイレクト通信を介して特定のデバイスへの通信を接続するように近距離通信モジュール１８０を制御する。
したがって、近距離通信を介して特定のデバイスから受信されたＷｉ−Ｆｉ  Ｐ２Ｐ接続のためのデバイス情報を用いて、Ｗｉ−Ｆｉ  Ｐ２Ｐ接続を希望するデバイスとして接触を介してすでに選択された特定のデバイスとの役割決定過程及び認証情報交換過程を実行した後にＷｉ−Ｆｉ  Ｐ２Ｐ接続を実行することができる。
【００２０】
本発明の別の実施形態に従って、制御部１１０は、近距離通信モジュール１８０を介して接触した特定のデバイスとＭＡＣアドレス及びデバイス情報を交換し、デバイス検索過程、役割決定過程、及び／又は特定のデバイスとの認証情報交換過程を実行せず、交換されたＭＡＣアドレス及びデバイス情報に基づいて特定のデバイスへのＷｉ−Ｆｉ  Ｐ２Ｐ接続を実行するように近距離通信モジュール１８０を制御する。
Ｗｉ−Ｆｉモジュール１７０は、ＩＥＥＥ８０２．１１規格による近距離無線通信機能を提供する。本発明の実施形態に従って、Ｗｉ−Ｆｉモジュール１７０は、携帯端末機のユーザがＷｉ−Ｆｉ  Ｐ２Ｐグループを形成（又は生成）することによりデータ交換機能などを使用することができるようにする。
【００２１】
本発明の実施形態に従って、近距離通信モジュール１８０は、近距離内でデバイス間のデータを転送するための通信モジュールである。近距離通信モジュール１８０は、特定のデバイスに通信接続されることにより本発明の実施形態に従って接触する特定のデバイスとＭＡＣアドレス及びＷｉ−Ｆｉ  Ｐ２Ｐ接続のためのデバイスの情報を交換する。本発明の実施形態に従って、近距離通信モジュール１８０は、近距離無線通信（Near Field Communication：ＮＦＣ）モジュールであることができる。
【００２２】
携帯端末機は、カメラ部１４０も含むことができる。カメラ部１４０は、映像データを撮影し、撮影された光信号を電気信号に変換するカメラセンサーと、カメラセンサーにより撮影されたアナログ映像信号をディジタルデータに変換する信号処理部とを含む。ここで、カメラセンサーは、電荷結合素子（Charge-Coupled Device：ＣＣＤ）又は相補型金属酸化物半導体（Complementary Metal Oxide Semiconductor：ＣＭＯＳ）センサーと仮定し、信号処理部は、ＤＳＰ（Digital Signal Processor）で実現することができる。カメラセンサー及び信号処理部は、一体型または分離型で実現することもできる。
【００２３】
携帯端末機は、カメラ部１４０から出力される映像信号を表示部１６０上に表示するための映像信号処理（Image Signal Processing：以下、“ＩＳＰ”と称する）を実行する映像処理部１５０を含むことができる。ＩＳＰは、ガンマ補正、補間、空間変化、イメージ効果、イメージスケーリング、自動ホワイトバランス（Automatic White Balance：ＡＷＢ）、自動露出（Automatic Exposure：ＡＥ）、及び自動焦点（Automatic Focusing：
ＡＦ）のような機能を実行する。例えば、映像処理部１５０は、カメラ部１４０から出力される映像信号をフレーム単位で処理し、表示部１６０の特性及びサイズに従ってフレーム基盤映像データを出力する。また、映像処理部１５０は、映像コーデックを含み、表示部１６０上に表示されるフレーム映像データをあらかじめ設定されたコーディング方式で圧縮し、圧縮されたフレーム映像データを元来のフレーム映像データに復元する機能を実行する。例えば、映像コーデックは、ＪＰＥＧコーデック、ＭＰＥＧ４コーデック、ウェーブレット（Wavelet）コーデックなどを含むことができる。映像処理部１５０がオンスクリーンディスプレー（On-Screen Display：ＯＳＤ）機能を含むと仮定すると、制御部１１０は、データが表示される画面のサイズに従ってＯＳＤデータを出力するように映像処理部１５０を制御することができる。
【００２４】
表示部１６０は、映像処理部１５０から出力される映像信号及び制御部１１０から出力されるユーザデータを画面上に表示する。表示部１６０は、液晶表示（ＬＣＤ）を含むことができ、この場合に、表示部１６０は、ＬＣＤ制御部、映像データを記憶するためのメモリ及びＬＣＤパネルを含む。表示部は、ＬＣＤをタッチスクリーン方式で実現する場合に入力部として機能することができ、この場合に、表示部１６０は、キー入力部１２７の英数字キーを表示することができる。例えば、ＬＣＤは、キー入力部１２７としても機能することができるタッチスクリーンを含むことができる。
【００２５】
携帯端末機におけるデバイスへの接続過程を図２及び図３を参照して詳細に説明する。
図２は、本発明の一実施形態による携帯端末機により実行される所望するデバイスへのＷｉ−Ｆｉ  Ｐ２Ｐ接続過程を示すフローチャートである。
図１を参照して本発明の実施形態についてより詳細に説明する。
図２を参照すると、ステップ２０１において、携帯端末機のＷｉ−Ｆｉ  Ｐ２Ｐ設定画面は表示部１６０で表示される。ステップ２０２において、制御部１１０は、携帯端末機が近距離通信に対応するＮＦＣモジュール１８０を通してＷｉ−Ｆｉ  Ｐ２Ｐ接続を所望する特定のデバイスに接続するか否かを判定する。言い換えれば、制御部１１０は、携帯端末機が特定のデバイスと接触する場合に、ＮＦＣモジュール１８０が特定のデバイスに接続するか否かを判定する。制御部１１０が、携帯端末機が近距離通信を介して特定のデバイスに接続されると判定する場合に、制御部１１０は、ステップ２０３に進み、携帯端末機のＷｉ−Ｆｉ  Ｐ２Ｐ機能をイネーブルさせることにより携帯端末機をＷｉ−Ｆｉ  Ｐ２Ｐモードに自動で切り換える。他方、携帯端末機が近距離通信を介して特定のデバイスに接続されないと判定する場合に、制御部１１０は、他の機能を処理する。
【００２６】
また、ステップ２０３において、特定のデバイスのＷｉ−Ｆｉ  Ｐ２Ｐ機能がディスエーブルされる場合に、特定のデバイスは、携帯端末機への近距離通信接続を介して特定のデバイスのＷｉ−Ｆｉ  Ｐ２Ｐ機能をイネーブルすることによりＷｉ−Ｆｉ  Ｐ２Ｐモードに自動で切り換えることができる。
携帯端末機と特定のデバイスとの間の近距離通信がＮＦＣモジュール１８０を介して接続される場合に、制御部１１０は、ステップ２０４において、ＭＡＣアドレスを特定のデバイスと交換すると同時にデバイス検索を実行する。
【００２７】
ステップ２０５において、制御部１１０は、デバイス検索の結果として、検索されたデバイスのうちで特定のデバイスから受信されたＭＡＣアドレスを有するデバイスが存在するか否かを判定する。制御部１１０が検索されたデバイスのうちで特定のデバイスから受信されたＭＡＣアドレスを有するデバイスが存在すると判定する場合に、制御部１１０は、ステップ２０７に進み、特定のデバイスと役割を決定する。また、制御部１１０は、ステップ２０８に進み、特定のデバイスと認証情報を交換する。その後に、制御部１１０は、ステップ２０９に進み、特定のデバイスとのＷｉ−Ｆｉ  Ｐ２Ｐ接続を確立する。
【００２８】
検索されたデバイスのうちの特定のデバイスの存在は、Ｗｉ−Ｆｉ  Ｐ２Ｐ接続のためのデバイス情報が交換されたことを示す。また、特定のデバイスへの携帯端末機の近距離通信は、Ｗｉ−Ｆｉ  Ｐ２Ｐ接続を所望するデバイスとして特定のデバイスをすでに選択したことを示す。したがって、特定のデバイスが検索されたデバイスのうちに存在する場合に、特定のデバイスとの役割決定過程及び認証情報交換過程を実行した後にＷｉ−Ｆｉ  Ｐ２Ｐ接続を実行することができる。
【００２９】
しかしながら、ステップ２０５において、デバイス検索の結果として、制御部１１０が検索されたデバイスのうちで特定のデバイスから受信されたＭＡＣアドレスを有するデバイスが存在しないと判定する場合に、制御部１１０は、ステップ２０６に進み、近距離通信モジュール１８０に対応するＮＦＣモジュールを介して特定のデバイスとのＷｉ−Ｆｉ  Ｐ２Ｐ接続のためのデバイス情報を交換する。
その後に、制御部１１０は、ステップ２０７に進み、特定のデバイスとの役割を決定し、ステップ２０８に進み、特定のデバイスと認証情報を交換する。その後に、制御部１１０は、ステップ２０９に進み、特定のデバイスとＷｉ−Ｆｉ  Ｐ２Ｐ接続を確立する。
【００３０】
図３は、本発明の別の実施形態による携帯端末機により実行される所望するデバイスへのＷｉ−Ｆｉ  Ｐ２Ｐ接続過程を示すフローチャートである。
以下では、図１を参照して本発明の実施形態についてより詳細に説明する。
図３を参照すると、ステップ３０１において、携帯端末機のＷｉ−Ｆｉ  Ｐ２Ｐ設定画面は表示部１６０で表示される。ステップ３０２において、制御部１１０は、携帯端末機がＮＦＣモジュール１８０（例えば、近距離通信モジュール１８０）を介してＷｉ−Ｆｉ  Ｐ２Ｐ接続を所望する特定のデバイスに接続されるか否かを判定する。言い換えれば、制御部１１０は、携帯端末機が特定のデバイスと接触する場合に、ＮＦＣモジュール１８０が特定のデバイスに接続されるか否かを判定する。制御部１１０は、携帯端末機が近距離通信を介して特定のデバイスに接続されると判定される場合に、ステップ３０３に進み、携帯端末機のＷｉ−Ｆｉ  Ｐ２Ｐ機能をイネーブルさせることによりＷｉ−Ｆｉ  Ｐ２Ｐモードに自動で切り換える。他方、制御部１１０は、携帯端末機が近距離通信を介して特定のデバイスに接続されないと判定する場合には他の機能を処理する。
【００３１】
また、ステップ３０３において、特定のデバイスのＷｉ−Ｆｉ  Ｐ２Ｐ機能がディスエーブルされる場合に、特定のデバイスは、携帯端末機への近距離通信接続を介して特定のデバイスのＷｉ−Ｆｉ  Ｐ２Ｐ機能をイネーブルすることによりＷｉ−Ｆｉ  Ｐ２Ｐモードに自動で切り換えることができる。
携帯端末機と特定のデバイスとの間の近距離通信がＮＦＣモジュール（例えば、近距離通信モジュール）１８０を介して接続される場合に、制御部１１０は、ステップ３０４において、特定のデバイスとのＭＡＣアドレス及びＷｉ−Ｆｉ  Ｐ２Ｐ接続のためのデバイス情報を交換する。
ステップ３０５において、制御部１１０は、デバイス検索過程、特定のデバイスとの役割決定過程、及び特定のデバイスとの認証情報交換過程を実行せず、特定のデバイスから受信されたＭＡＣアドレス及びＷｉ−Ｆｉ  Ｐ２Ｐ接続のためのデバイス情報に基づいて特定のデバイスとＷｉ−Ｆｉ  Ｐ２Ｐ接続を確立する。
【００３２】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００３３】
１１０  制御部
１７０  Ｗｉ−Ｆｉモジュール
１８０  近距離通信（ＮＦＣ）モジュール
【図１】
0006480481.tif 000002
【図２】
0006480481.tif 000003
【図３】
0006480481.tif 000004